(57)【要約】  【課題】  第１部材と第２部材を接合する木ネジが斜めに螺入されても、ネジ頭の角度を容易に修正できて、美観を損ねることがない木ネジのネジ頭角度修正構造を提供する。【解決手段】  第１部材２と第２部材３を接合する木ネジ１が斜めに螺入されたときに、木ネジ１のネジ頭１ａを外観がよくなるようにその角度を修正するようにした木ネジのネジ頭角度修正構造であって、木ネジ１のネジ頭１ａとネジ部１ｂの境目の両側に切り込み１ｃ、１ｃが形成され、ネジ頭１ａの表面に切り込み１ｃ、１ｃと同じ向きに目印（−のドライバー差込用溝部１ｅ）が形成されており、第１部材２と第２部材３に螺入された木ネジ１のネジ頭１ａの目印が水平向きになるようにその角度が修正されて切り込み１ｃ、１ｃが水平向きになるように位置され、木ネジ１のネジ頭１ａをプラスチックハンマー４で叩くことにより、ネジ頭１ａが第１部材２の表面に沿うように角度修正した。【選択図】  図１
2009097623.tif 000002
【特許請求の範囲】
【請求項１】
第１部材と第２部材を接合する木ネジが斜めに螺入されたときに、前記木ネジのネジ頭を外観がよくなるようにその角度を修正するようにした木ネジのネジ頭角度修正構造であって、前記木ネジのネジ頭とネジ部の境目の両側に切り込みが形成され、前記木ネジのネジ頭の表面に前記切り込みと同じ向きに目印が形成されており、前記第１部材と前記第２部材に螺入された木ネジのネジ頭の目印が水平向きになるようにその角度が修正されて前記切り込みが水平向きになるように位置され、この状態で前記木ネジのネジ頭をプラスチックハンマーで叩くことにより、前記ネジ頭が前記第１部材の表面に沿うように角度修正されるように構成したことを特徴とする木ネジのネジ頭角度修正構造。
【請求項２】
前記木ネジのネジ頭の表面の目印は、前記ネジ頭に形成された＋−兼用のドライバー差し込み用溝部の−のドライバー差し込み用溝部からなり、前記−のドライバー差し込み用溝部が前記切り込みと同一方向になるように構成された請求項１に記載の木ネジのネジ頭角度修正構造。
【請求項３】
前記木ネジのネジ頭の表面の目印は、前記ネジ頭に形成された＋−兼用のドライバー差し込み用溝部の＋のドライバー差し込み用溝部からなり、前記＋のドライバー差し込み用溝部が前記切り込みと同一方向になるように構成された請求項１に記載の木ネジのネジ頭角度修正構造。
【請求項４】
前記木ネジのネジ頭の表面の目印は、前記ネジ頭に形成された＋のドライバー差し込み用溝部の前後左右いずれかの外側に形成された印からなり、前記印が前記切り込みと同一方向になるように構成された請求項１に記載の木ネジのネジ頭角度修正構造。
【発明の詳細な説明】
【技術分野】
【０００１】
本発明は、第１部材と第２部材を接合する木ネジが斜めに螺入されたときに、前記木ネジのネジ頭を外観がよくなるようにその角度を修正するようにした木ネジのネジ頭角度修正構造に関するものである。
【背景技術】
【０００２】
図４に示すように、従来、第１部材１０１と第２部材１０２を接合する木ネジ１０３を螺入する場合に、斜め向きに螺入してしまうことがあるが、一端第１部材１０１と第２部材１０２にタップを切ってしまうと何度木ネジ１０３を締めなおしても斜め向きになってしまう。このことによって、木ネジ１０３のネジ頭１０３ａが斜めになってしまって美観を損ねるという問題があった。
【０００３】
第１の従来技術を図５に示す。この従来の埋込み型ねじ釘は、図５（ａ）（ｂ）に示すように、重合した表裏部材２０５、２０６中にねじ込み、両部材２０５、２０６を接合保持する埋込み型ねじ釘２０１であって、軸身部の螺旋ネジ２０３は、ネジ先端部分の裏側部材２０６と対応するネジ部２０３ａのピッチを大、釘頭側の表側部材２０５と対応するネジ部２０３ｂのピッチを小に設定し且つピッチの大なるネジ部２０３ａとピッチの小なるネジ部２０３ｂは連続又は断続或いは重続構造とすると共に、表側部材２０５と対応するネジ部２０３ｂの釘頭２０２の近傍には、軸径を細めた剪団部２０４を形成し、構成した。（例えば、特許文献１参照）。
ところが、これにおいては、剪団部２０４をネジ部２０３ｂの釘頭２０２の近傍の全周に溝を入れていて、釘頭２０２を切り取るものであった。
【０００４】
【特許文献１】特開平８−６１３４２号公報
【発明の開示】
【発明が解決しようとする課題】
【０００５】
本発明は、上記従来の問題に鑑みてなされたものであって、第１部材と第２部材を接合する木ネジが斜めに螺入されても、そのネジ頭の角度を容易に修正することができて、美観を損ねることがない木ネジのネジ頭角度修正構造を提供することを目的としている。
【課題を解決するための手段】
【０００６】
本発明は、上記課題を解決するために提案されたものであって、請求項１に記載の発明は、第１部材と第２部材を接合する木ネジが斜めに螺入されたときに、前記木ネジのネジ頭を外観がよくなるようにその角度を修正するようにした木ネジのネジ頭角度修正構造であって、前記木ネジのネジ頭とネジ部の境目の両側に切り込みが形成され、前記木ネジのネジ頭の表面に前記切り込みと同じ向きに目印が形成されており、前記第１部材と前記第２部材に螺入された木ネジのネジ頭の目印が水平向きになるようにその角度が修正されて前記切り込みが水平向きになるように位置され、この状態で前記木ネジのネジ頭をプラスチックハンマーで叩くことにより、前記ネジ頭が前記第１部材の表面に沿うように角度修正されるように構成したことを特徴としている。
【０００７】
請求項２に記載の発明は、請求項１に記載の発明において、前記木ネジのネジ頭の表面の目印は、前記ネジ頭に形成された＋−兼用のドライバー差し込み用溝部の−のドライバー差し込み用溝部からなり、前記−のドライバー差し込み用溝部が前記切り込みと同一方向になるように構成されている。
【０００８】
請求項３に記載の発明は、請求項１に記載の発明において、前記木ネジのネジ頭の表面の目印は、前記ネジ頭に形成された＋−兼用のドライバー差し込み用溝部の＋のドライバー差し込み用溝部からなり、前記＋のドライバー差し込み用溝部が前記切り込みと同一方向になるように構成されている。
【０００９】
請求項４に記載の発明は、請求項１に記載の発明において、前記木ネジのネジ頭の表面の目印は、前記ネジ頭に形成された＋のドライバー差し込み用溝部の前後左右いずれかの外側に形成された印からなり、前記印が前記切り込みと同一方向になるように構成されている。
【発明の効果】
【００１０】
請求項１に記載の発明によれば、第１部材と第２部材に木ネジが斜めに螺入されたときに、木ネジのネジ頭の表面の目印を水平向きにするとこの目印と同じ向きに形成された切込みも水平向きとなり、このネジ頭をプラスチックハンマーで叩くことにより、ネジ頭を第１部材の表面に沿うように容易に角度修正できて、美観を損なうことがない。更に、ネジ頭をプラスチックハンマーで叩くから、ネジ頭の表面が傷つくことがなく、より一層美観を損なうことがない。
【００１１】
請求項２に記載の発明によれば、木ネジのネジ頭の表面の目印が、ネジ頭に形成された＋−兼用のドライバー差し込み用溝部の−のドライバー差し込み用溝部からなるものであるから、この−のドライバー差し込み溝部が切り込みと同一方向になっていることにより、この目印が解り易い利点がある。更に、木ネジが斜めに螺入されたときに、このネジ頭の−のドライバー差し込み用溝部を水平向きにすることによって、切り込みも水平向きになるから、このネジ頭をプラスチックハンマーで叩くことにより、ネジ頭を第１部材の表面に沿うように容易に角度修正することができる。
【００１２】
請求項３に記載の発明によれば、木ネジのネジ頭の表面の目印が、ネジ頭に形成された＋−兼用のドライバー差し込み用溝部の＋のドライバー差し込み用溝部からなるものであるから、この＋のドライバー差し込み用溝部が切り込みと同一方向になっていることにより、この目印が解り易い利点がある。更に、木ネジが斜めに螺入されたときに、このネジ頭の＋のドライバー差し込み用溝部を水平向きにすることによって、切り込みも水平向きになるから、このネジ頭をプラスチックハンマーで叩くことにより、ネジ頭を第１部材の表面に沿うように容易に角度修正することができる。
【００１３】
請求項４に記載の発明によれば、木ネジのネジ頭の表面の目印が、ネジ頭に形成された＋のドライバー差し込み用溝部の前後左右いずれかの外側に形成された印からなるものであるから、この目印が解り易い利点がある。更に、木ネジが斜めに挿入されたときに、このネジ頭の印を水平向きに位置させることによって、切り込みも水平向きになるから、このネジ頭をプラスチックハンマーで叩くことにより、ネジ頭を第１部材の表面に沿うように容易に角度修正することができる。
【発明を実施するための最良の形態】
【００１４】
以下、本発明に係る木ネジのネジ頭角度修正構造の実施の形態について、図を参照しつつ説明する。
図１は本発明の第１実施形態の木ネジのネジ頭角度修正構造を示し、（ａ）は木ネジの正面図、（ｂ）は木ネジの側面図、（ｃ）は木ネジで第１部材と第２部材を接合した際に木ネジが斜めに螺入された状態を示し断面図、（ｄ）は（ｃ）の木ネジのネジ頭を見た正面図、（ｅ）は斜めに螺入された木ネジのネジ頭をプラスチックハンマーで叩く状態を示す断面図、（ｆ）は木ネジのネジ頭が角度修正された状態を示す断面図である。
【００１５】
この第１実施形態の木ネジのネジ頭角度修正構造は、図１（ａ）（ｂ）に示すように、木ネジ１のネジ頭１ａとネジ部１ｂの境目の両側に切り込み１ｃ、１ｃが形成され、ネジ頭１ａに形成された＋−兼用のドライバー差し込み用溝部１ｄ、１ｅの−のドライバー差し込み用溝部１ｅが切り込み１ｃ、１ｃと同一方向になるようになっている。図１（ｃ）に示すように、この木ネジ１で第１部材２と第２部材３を接合するときに、木ネジ１が障害物（図示略）に当たったり、誤って斜めに螺入されたときに、図１（ｄ）にも示すように、−のドライバー差し込み用溝部１ｅが水平向きになるように回して、図１（ｃ）に示すように、切り込み１ｃ、１ｃも水平向きになるようにする。この状態で図１（ｅ）に示すように、プラスチックハンマー４で木ネジ１のネジ頭１ａを叩いて、図１（ｆ）に示すように、ネジ頭１ａが第１部材２の表面（側面）に沿うように角度調整されるようにした。
【００１６】
従って、木ネジ１のネジ頭１ａが第１部材２の表面（側面）に沿うようになるので、容易に角度修正できて、美観を損なうことがない。更に、ネジ頭１ａをプラスチックハンマー４で叩くから、ネジ頭の表面が傷つくことがなく、より一層美観を損なうことがない。また、木ネジ１のネジ頭１ａの表面の−のドライバー差し込み用溝部１ｅが目印になるので、この目印が解り易い利点がある。
【００１７】
図２は第２実施形態の木ネジのネジ頭角度修正構造における木ネジを示し、（ａ）は木ネジの正面図、（ｂ）は木ネジの側面図である。
この第２実施形態の木ネジ１のネジ頭１ａに形成された＋−兼用のドライバー差し込み用溝部１ｄ、１ｅの＋のドライバー用溝部１ｄが切り込み１ｃ、１ｃと同一方向に向くようになされている。従って、木ネジ１のネジ頭１ａの＋のドライバー差し込み用溝部１ｄが目印になるので、この目印が解り易く、この＋のドライバー差し込み用溝部１ｄを水平向きにすることによって切り込み１ｃ、１ｃが水平向きとなり、木ネジ１が第１部材２と第２部材３［図１（ｃ）参照］に斜めに螺入されたときに、ネジ頭１ａをプラスチックハンマー４［図１（ｅ）参照］で叩くことにより、ネジ頭１ａを第１部材２［図１（ｆ）参照］の表面に沿うようにできて、美観を損ねることがない。
【００１８】
図３は第３実施形態の木ネジのネジ頭角度修正構造における木ネジを示し、（ａ）は木ネジの正面図、（ｂ）は木ネジの側面図である。
この第３実施形態の木ネジのネジ頭角度修正構造は、図３（ａ）（ｂ）に示すように、木ネジ１Ａのネジ頭１ｆに形成された＋のドライバー差し込み用溝部１ｇの図１（ａ）において左側の外側に印１ｈが形成され、切り込み１ｃ、１ｃがこの印１ｈと同一方向になるようになされている。従って、木ネジ１Ａのネジ頭１ｆの印１ｈが目印になるので、この目印が解り易く、この印１ｈを水平向きにすることによって切り込み１ｃ、１ｃが水平向きとなり、木ネジ１Ａが第１部材２と第２部材３［図１（ｃ）参照］に斜めに挿入されたときに、ネジ頭１ｆをプラスチックハンマー４［図１（ｅ）参照］で叩くことにより、ネジ頭１ｆを第１部材２［図１（ｆ）参照］の表面に沿うようにできて、美観を損ねることがない。
尚、上記実施形態においては、木ネジ１、１Ａの切り込み１ｃ、１ｃが略コ字形のものに図示したが、これに限らず、例えば、略Ｖ字形や略Ｃ字形などの切り込みも適用できるものである。
【図面の簡単な説明】
【００１９】
【図１】本発明の第１実施形態の木ネジのネジ頭角度修正構造を示し、（ａ）は木ネジの正面図、（ｂ）は木ネジの側面図、（ｃ）は木ネジで第１部材と第２部材を接合した際に木ネジが斜めに螺入された状態を示し断面図、（ｄ）は（ｃ）の木ネジのネジ頭を見た正面図、（ｅ）は斜めに螺入された木ネジのネジ頭をプラスチックハンマーで叩く状態を示す断面図、（ｆ）は木ネジのネジ頭が角度修正された状態を示す断面図である。
【図２】第２実施形態の木ネジのネジ頭角度修正構造における木ネジを示し、（ａ）は木ネジの正面図、（ｂ）は木ネジの側面図である。
【図３】第３実施形態の木ネジのネジ頭角度修正構造における木ネジを示し、（ａ）は木ネジの正面図、（ｂ）は木ネジの側面図である。
【図４】従来の木ネジで第１部材と第２部材を接合した際に、木ネジが斜めに螺入された状態を示す断面図である。
【図５】従来の埋込み型ねじ釘を示し、（ａ）はその正面図、（ｂ）はその使用状態を示す説明図である。
【符号の説明】
【００２０】
１        木ネジ
１Ａ      木ネジ
１ａ      ネジ頭
１ｂ      ネジ部
１ｃ      切り込み
１ｄ      ＋のドライバー差し込み用溝部
１ｅ      −のドライバー差し込み用溝部
１ｆ      ネジ頭
１ｇ      ＋のドライバー差し込み用溝部
１ｈ      印
２        第１部材
３        第２部材
４        プラスチックハンマー
【図１】
2009097623.tif 000003
【図２】
2009097623.tif 000004
【図３】
2009097623.tif 000005
【図４】
2009097623.tif 000006
【図５】
2009097623.tif 000007